(57)【特許請求の範囲】
【請求項１】
容器入りろうそくにおいて、
一方の端部に開口を有する容器と、
前記容器の中に含まれる可燃燃料と、
前記容器の中に配置され、前記可燃燃料から伸張するろうそく灯心と、
前記容器上で支持され、前記容器の前記開口を通して配置される管状挿入物であって、前記管状挿入物と前記容器の内部壁の間に空気チャネルを作り出すように、前記管状挿入物の外側の円周は、前記容器の前記開口の内部円周より少なくなっている、管状挿入物と、
を備えており、
前記管状挿入物が、円錐台の形をした挿入物であり、
前記円錐台の形をした挿入物の幅がより広いほうの端部が、前記容器の中に配置されることを特徴とする容器入りろうそく。
【請求項２】
前記管状挿入物が、コネクタリングおよび前記コネクタリングから伸張している少なくとも２つのフランジを含む管状挿入物支持体をさらに備え、前記コネクタリングが、前記容器の前記開口の縁に取り付けられる形状になっていることを特徴とする請求項１に記載の容器入りろうそく。
【請求項３】
前記管状挿入物の一部が、前記容器の前記開口を画定している縁より上に伸張することを特徴とする請求項１に記載の容器入りろうそく。
【請求項４】
前記フランジが、前記円錐台の形をした挿入物の底部面を支持するための縁部をさらに備えることを特徴とする請求項２に記載の容器入りろうそく。
【請求項５】
前記フランジが、前記円錐台の形をした挿入物に圧力を及ぼすために、凹みをさらに備えており、前記円錐台の形をした挿入物を前記コネクタリングの適所に保持することを特徴とする請求項２に記載の容器入りろうそく。
【請求項６】
前記コネクタリングが、前記容器の最上部の縁を受けるためのｕ字形チャネルをさらに備えることを特徴とする請求項２に記載の容器入りろうそく。
【請求項７】
前記コネクタリングが、耐熱材料から製造されることを特徴とする請求項２に記載の容器入りろうそく。
【請求項８】
前記管状挿入物が、前記管状挿入物の中に配置される、熱エネルギーを反射してろうそく燃料の中へ戻すための熱反射リングをさらに備えることを特徴とする請求項１に記載の容器入りろうそく。
【請求項９】
前記管状挿入物が、前記管状挿入物を前記ろうそく容器の前記開口の中に配置するための少なくとも２つの接触点をさらに備えることを特徴とする請求項１に記載の容器入りろうそく。
【請求項１０】
容器入りろうそくで使用するためのろうそくの性能を向上させる挿入物において、
前記容器上で支持され、前記容器の開口を通して配置される管状挿入物であって、前記管状挿入物と前記容器の内部壁の間に空気チャネルを作り出すように、前記管状挿入物の外側の円周は、前記容器の前記開口の内部円周より少なくなっている、管状挿入物と、
コネクタリングおよび前記コネクタリングから伸張している少なくとも２つのフランジを含む管状挿入物支持体であって、前記コネクタリングが、前記容器の前記開口の縁に取り付けられる形状になっている、管状挿入物支持体と、
を備えていることを特徴とするろうそく性能を向上させる挿入物。
【請求項１１】
前記管状挿入物が、円錐台の形をした挿入物であることを特徴とする請求項１０に記載のろうそく性能を向上させる挿入物。
【請求項１２】
前記管状挿入物が、円筒の形をした挿入物であることを特徴とする請求項１０に記載のろうそく性能を向上させる挿入物。
【請求項１３】
前記管状挿入物の一部が、前記容器の前記開口を画定している縁より上に伸張することを特徴とする請求項１０に記載のろうそく性能を向上させる挿入物。
【請求項１４】
前記円錐台の形をした挿入物の幅がより広いほうの端部が、前記容器の中に配置されることを特徴とする請求項１１に記載のろうそく性能を向上させる挿入物。
【請求項１５】
前記フランジのそれぞれが、前記円錐台の形をした挿入物の底部面を支持するための縁部をさらに備えることを特徴とする請求項１０に記載のろうそく性能を向上させる挿入物。
【請求項１６】
前記フランジのそれぞれが、前記円錐台の形をした挿入物に圧力を及ぼすために、凹みをさらに備えていて、前記円錐台の形をした挿入物を前記コネクタリングの適所に保持することを特徴とする請求項１０に記載のろうそく性能を向上させる挿入物。
【請求項１７】
前記コネクタリングが、前記容器の最上部の縁を受けるためのｕ字形チャネルをさらに備えることを特徴とする請求項１０に記載のろうそく性能を向上させる挿入物。
【請求項１８】
前記コネクタリングが、耐熱材料から製造されることを特徴とする請求項１０に記載のろうそく性能を向上させる挿入物。
【発明の詳細な説明】
【技術分野】
【０００１】
本発明は、ろうそく用の器の設計に関し、より詳細には、使用中の充填された容器入りろうそくの性能を向上させるろうそく用器の設計に関する。
【背景技術】
【０００２】
本出願は、２０１１年２月１４日に出願の米国仮特許出願第６１／４４２，４１９号に対する優先権を主張する。
【０００３】
従来の容器に入った型のろうそくの設計は、多様である。容器入りろうそくの多くは、蝋が入った壷、灯心およびカバーから成る。容器の基本機能は、蝋または何らかの可燃燃料を静的に画定された寸法に保つことである。実質的には、現在の容器入りろうそくは、単に容器として機能する。
【０００４】
しかし、炎を制御する目的でおよび香りの分布を改善するために、燃焼制御アクセサリを、別個の構成要素として容器入りろうそくに加えられるようになった。米国特許第６，３８２，９６２号では、薬用ろうそくと共に使用して燃焼効率を改善する通気プレートに関して記述されている。米国特許第６，５８９，０４７号では、チャネル付き調節板または裾部を有する通気プレートを用いて、ろうそくの燃焼および煙の消去を改良することに関して記述されている。米国特許第７，３７７，７７２号は、吸気孔を利用する燃焼制御カバーを備えた容器に詰めたろうそくに関する。
【０００５】
上記の従来技術ろうそくは、薬用壷などの既存の容器に付加的なカバー、蓋またはプレートを配置して使用することで燃焼制御および香り分布の改良に取り組む改良点を含むものであった。こうした設計には、ある種の重大な短所が存在する。１つの短所は、部品の分離に関するものである。請求される恩恵を実現するために、エンドユーザは、容器入りろうそくの上にカバー、蓋またはプレートを設置しなければならない。カバー、蓋またはプレートを設置し忘れられる、紛失する、または壊した場合、意図された燃焼向上機能は実現されない。
【０００６】
こうした従来技術のろうそくの別の短所は、使用中のカバー、蓋またはプレートの保熱性に関するものである。カバー、蓋またはプレートが別個の構成要素であるので、使用中、またはエンドユーザがろうそくを使用し終わった後、エンドユーザは、カバー、蓋またはプレートを取り外す必要性を欲するまたは気付くであろう。こうした行為は、エンドユーザを、皮膚に火傷を起こす場合があるような危険な状況に置く可能性がある。現在市場に出ているろうそくに施された改良は、ほとんど審美的目的で行われたものである。ろうそくの性能を向上させる目的で容器入りろうそくが改良されたことはほとんどなかった。
【先行技術文献】
【特許文献】
【０００７】
【特許文献１】米国特許第６，３８２，９６２号
【特許文献２】米国特許第６，５８９，０４７号
【特許文献３】米国特許第７，３７７，７７２号
【発明の概要】
【発明が解決しようとする課題】
【０００８】
したがって、本発明の目的は、安定した効率的な燃焼と、香りの送出を増進させることを共に実現する１つの完成構成要素である、容器入りろうそく挿入物を提供することである。
【課題を解決するための手段】
【０００９】
本発明のろうそく容器設計は、活性化した香りから吸気を分離し、同時に活性化した香りを増進させることで燃焼中のろうそくの性能を向上させる。容器入りろうそく製造工程の一部として、煙突状の組立体を容器に取り付けて、容器入りろうそくの完成品を作成する。１つの実施形態では、煙突状の組立体は円筒形の組立体であり、別の実施形態では、煙突状の組立体は、円錐台形の組立体である。煙突状の組立体は、容器入りろうそくの多機能の部品であり、以下の２つの特徴を実現する、すなわち、１）容器入りろうそくによって解放される活性化した香りから吸気を分離すること、および２）容器入りろうそくから送出される活性化した香りを増進させること、である。組立体の煙突状の挿入部品は、ろうそくの炎を安定させることで燃焼制御を改善する。この機能は、吸気と活性化した香りを分離することで達成される。従来型のろうそく容器では、こうした２つの反対向きの流れは、互いに干渉し、炎の途絶を引き起こし、その後の燃焼が非効率的になる。煙突状の挿入物は、容器の最上部の中央位置に配置され、最上部が容器の縁より高く伸張し、底部が容器の首部の中に少し伸張する。煙突状の挿入物の最上部および底部の直径は、常に容器の首部より狭いので、その結果、２つの間には空隙が生じる。いくつかの実施形態では、容器入りろうそくの製造工程の一部として、統合リング組立体が、取り外せないように容器に取り付けられて、完成容器が作り出される。他の実施形態では、統合リングは、容器入りろうそく製造工程の間に１つまたは複数の接触点を用いて器に取り付けられる。円筒形の挿入物を利用する実施形態では、熱反射リングが、空気ダイバータシリンダ（空気迂回用円筒容器）の内側に取り付けられる。熱反射リングの開放直径は、ろうそく照明に適している。リングの底部は、平坦であってもまたは曲がっていてもよく、反射下地処理を含んでいても含んでいなくてもよい。熱反射リングの機能は、熱放射を反射してろうそく燃料の中へ戻すためのものであり、より速く、より完全な溶融を作り出す。香料入りろうそくでは、より速く、より完全な溶融が所望され、このような溶融は、空気中に芳香を拡散させること（活性化した香りとして知られる）を促進するからである。空隙は、適切な層状の吸気をろうそくの炎に供給することを可能にし、より安定したかつ効率的な燃焼を提供する。円錐台形の挿入物を利用する実施形態では、より大きい直径を有する円錐台形の挿入物の端部が、容器の首部の中に配置され、下方および容器の内壁に向かう気流を促進し、層状の吸気流れを作り出す。煙突状の挿入物は、１２０度間隔で配置される３つの座フランジ（シートフランジ、台座用突縁部）を用いてコネクタリング（接続リング）に取り付けられ、コネクタリングは、ｕ字形チャネル（Ｕ字形溝）を用いて器の縁に取り付けられる。円錐台形の挿入物の有利な幾何学的形状は、器の首部に配置される挿入物の直径が大きくなっているので、ベンチュリ効果のおかげで活性化した香りの流れを加速する。活性化した香りを加速することが所望され、この特徴が、点火されたろうそくから香りをより速く、より遠くに進ませることになり、このようにして、芳香性能の改良が実現される。
【図面の簡単な説明】
【００１０】
【図１】本発明によるリング組立体の１つの実施形態の上面図である。
【図２】図１に示すリング組立体の立面図である。
【図３】図１および図２のリング組立体を中に挿入してある、完成容器入りろうそくの立面図である。
【図４】図３に示す完成容器入りろうそくの上面図である。
【図５】図３に示す完成容器入りろうそくの立面図であり、その中の空気および香りの流れを示している。
【図６】本発明の容器入りろうそくの別の実施形態の透視図である。
【図７】図６に示す容器入りろうそくに挿入される円錐台形の組立体の斜視分解図である。
【図８】本発明による完成容器入りろうそくの動作態様を示す断面図である。
【発明を実施するための形態】
【００１１】
図１から図５に示す実施形態を参照する。本発明の容器入りろうそく１０は、容器１２を含み、この容器は、容器の最上部が開口しているどのような形状のものでもよい。容器１２は、典型的にはガラスでできているが、容器１２は、他の不燃材料でできていてもよい。煙突状の円筒形のリング組立体９は、図１および図２で示され、容器１２に挿入される。リング組立体９は、空気ダイバータシリンダ１、熱反射リング２および接触点３を含む。
【００１２】
図３および図４は、完成容器入りろうそく１０を例示し、その中に統合リング組立体９が挿入してある。この容器入りろうそく１０の設計は、炎および反射熱を制御することで燃焼中のろうそくの性能を向上させるものである。リング組立体９は、容器に接着剤で固定される１つまたは複数の接触点３を用いて完成容器１０に接続される。リング組立体９は、空隙４を形成するような寸法および配置になっている。好適な実施形態では、リング組立体９は、ガラスでできているが、ろうそくの炎の熱に耐えることができる他の材料を使用してもよい。完成容器１０には、ろうそく燃料８（通常は蝋）および灯心１１（ろうそくは複数の灯心を含んでいる場合がある）が入っている。図３および図４に示す容器１２は、器肩部６を用いて接続される器壁７より直径が小さい、器首部５を含んでいる。
【００１３】
図５は、容器入りろうそく１０の動作を例示する。ろうそくの燃焼中、吸気１３は、空気ダイバータシリンダ１と器首部５の間を空隙４を通って移動し、吸気は、ろうそく燃料８（または溶融した蝋たまり）の上を動く。空隙４を通って移動する吸気１３の一部は、ろうそくの炎１６を灯心１１で燃え続けさせるのに必要な燃焼を支援するのに使用される。ろうそくの炎１６によって発せられる熱は、ろうそく燃料８（または溶融された蝋たまり）の中に保持されていた香りを解放する。香り、熱、空気および燃焼の副産物は、空気ダイバータシリンダ１の内側の開口を通って出る。燃焼中、熱は、熱放射の形でろうそくの炎１６から全方向に、外へ向かって放射される。熱反射リング２は、ガラス挿入物に接着剤で固定されていて、この熱放射１４のうち特定の割合を反射してろうそく燃料８の中に戻し、それによって、より速く、より完全な溶融が促進される。好適な実施形態では、リング２は、反射コーティングを含んでいて熱反射を向上させている。
【００１４】
図６に示す容器入りろうそく３０は、容器３２および円錐台形の挿入物組立体３４を含む。組立体３４のコネクタリング３６は、コネクタリングＵ字形チャネル３８を用いて完成容器３２に接続され、空隙４０が形成されるような大きさおよび配置になっている。完成容器３２には、ろうそく燃料４２（通常は蝋）および灯心４４（ろうそくは複数の灯心を含んでいる場合がある）が入っている。記載している完成容器は、器肩部５０を用いて接続される器壁４８より直径が小さい容器首部４６を含む。
【００１５】
円錐台形の組立体３４は、図７で最も明らかに示され、円錐台形の挿入物３５およびコネクタリング３６を含む。円錐台形の挿入物３５は、３つのコネクタリング座フランジ５２を用いて、コネクタリング３６に取り付けられる。円錐台形の挿入底部５４は、圧縮嵌め合いによってそれぞれのコネクタリング座フランジ５２に接続し、座フランジ縁部５６の上部に座る。座フランジ圧凹み５８は、円錐台形の挿入物３５を適所に保持するのに適切な圧力を提供する。コネクタリング裾部６０は、完成容器入りろうそく３０の器首部４６の中まで下方に伸張する。コネクタリング３６は、コネクタリングｕ字形チャネル３８を用いて完成容器３２に取り付けられる。コネクタリング３６は、さまざまな耐熱材料でできていてもよく、透明、半透明または不透明でもよい。コネクタリング３６は、滑らかであってもよく、浮き彫りがあってもよく、または設計素子を含んでいてもよい。
【００１６】
円錐台形の組立体３４は、さまざまな方法（すなわち、溶融、接着剤、化学処理または機械式金具）で容器３２に取り付けてもよい。円錐台形の挿入物３５は、さまざまな耐熱材料でできていてもよく、透明、半透明または不透明でもよい。円錐台形の挿入物３５は、滑らかであってもよく、浮き彫りがあってもよく、または設計素子を含んでいてもよい。円錐台形の挿入物３５は、さらに、逆さにして直径が小さいほうの位置を容器の首部に配置してもよい。
【００１７】
図８は、図６および図７に示す容器入りろうそく３０の動作を例示している。ろうそく燃焼中には、吸気６２は、円錐台形の不活性物質３５とコネクタリング３６の間で空隙４０を通って移動し、吸気は、ろうそく燃料４２（または、溶融した蝋たまり）の上を動く。吸気６２の一部は、ろうそくの炎６６を灯心４４で燃え続けさせるのに必要な燃焼を支援するのに使用される。ろうそくの炎６６によって発せられる熱は、ろうそく燃料４２（または溶融された蝋たまり）の中に保持されていた香りを解放し、活性化した香り６８を作り出す。活性化した香り６８、熱、空気および燃焼の副産物は、最上部の開口部から円錐台形の挿入物３５を通って出る。この容器入りろうそくは、活性化した香り６８から吸気６２を分離し、同時に活性化した香りを増進させることによって燃焼中のろうそくの性能を向上させる。
【００１８】
前述の本発明は、その好適な実施形態に関して説明してきたが、当業者であればさまざまな変更および修正を想起されるであろう。そうした変更および修正はすべて、添付の請求の範囲に含まれるものであると意図される。
【図１】
0005934258.tif 000002
【図２】
0005934258.tif 000003
【図３】
0005934258.tif 000004
【図４】
0005934258.tif 000005
【図６】
0005934258.tif 000006
【図７】
0005934258.tif 000007
【図８】
0005934258.tif 000008
【図５】
0005934258.tif 000009